(57)【要約】【課題】複数のリモコン受光ユニットを備えていても、誤動作なく各リモコン受光ユニットからの出力信号を読み取る。【解決手段】リモコン受信システム１は、２個のリモコン受光ユニットＡ，Ｂと、これらのリモコン受光ユニットＡ、Ｂからの出力信号が入力され、この出力信号を処理するマイコン２と、このマイコン２に入力する出力信号をリモコン受光ユニットＡ、Ｂのなかからから選択し、かつ、選択したリモコン受光ユニットＡ、Ｂの出力信号を予め設定した時間毎に切替える制御部３とが備えられている。また、マイコン２から制御部３にフィードバック回路が構成されている。【選択図】図１
2004048463.tif 000002
【特許請求の範囲】
【請求項１】
複数個のリモコン受光ユニットと、これらのリモコン受光ユニットからの出力信号が入力され、この出力信号を処理する本体部を備えたリモコン受信システムであって、
前記本体部に入力する出力信号を複数個の前記リモコン受光ユニットのなかから選択し、かつ、選択したリモコン受光ユニットの出力信号を予め設定した時間毎に切替える制御部を備えており、
この制御部は、リモコン受光ユニットから本体部に入力する出力信号がない場合には、設定した時間毎に複数個のなかから選択したリモコン受光ユニットの出力信号を切替え、リモコン受光ユニットのいずれかから本体部に入力する出力信号がある場合には、本体部からのフィードバックにより、この出力信号を本体部に入力する出力信号として固定するようになされたことを特徴とするリモコン受信システム。
【請求項２】
前記出力信号は、リモコン受光ユニットの情報を付与したリーダ部と、このリーダ部に後続するデータ部とからなり、前記制御部は、このリーダ部のパルスと、データ部のリーダ部のパルスに後続する数個のパルスとに基づいて、出力信号を検知することを特徴とする請求項１に記載のリモコン受信システム。
【請求項３】
前記出力信号は、リモコン受光ユニットの情報を付与したリーダ部と、このリーダ部に後続するデータ部とからなり、このリーダ部のパルス長が８周期以上であり、前記制御部は、このリーダ部から出力信号を検知することを特徴とする請求項１に記載のリモコン受信システム。
【請求項４】
前記設定した時間がリーダ部の２周期分のパルス長にあたることを特徴とする請求項３に記載のリモコン受信システム。
【請求項５】
複数個の前記リモコン受光ユニットの受光面が異なる方向に向けて備えられたことを特徴とする請求項１に記載のリモコン受信システム。
【請求項６】
複数個の前記リモコン受光ユニットは、その受光面に入る外乱光のノイズに対する特性がそれぞれ異なることを特徴とする請求項１に記載のリモコン受信システム。
【請求項７】
複数個の前記リモコン受光ユニットは、その受光面に入る輻射ノイズに対する特性がそれぞれ異なることを特徴とする請求項１に記載のリモコン受信システム。
【発明の詳細な説明】
【０００１】
【発明の属する技術分野】
本発明は、複数個のリモコン受光ユニットを備えたリモコン受信システムに関する。
【０００２】
【従来の技術】
従来、ＴＶ、ＡＶ機器、エアコン等の電子機器では、１つの電子機器にリモコン受光ユニットを１個しか使用されていなかった。しかし、近年、リモコン受光ユニットの受光面に入る外乱光や輻射ノイズなどのノイズ対策や、あらゆる方向からリモコン信号を受信するよう広指向性を確保するため、１つの電子機器に複数個のリモコン受光ユニットを備えたリモコン受信システムが用いられている。現在用いられているリモコン受信システムに、例えば、図５に示すようなリモコン受信システム４がある。
【０００３】
このリモコン受信システム４は、２個のリモコン受光ユニットＡ、Ｂがマイコン５にＯＲ接続されてなり、２個のリモコン受光ユニットＡ、Ｂの出力信号をマイコン５に入力する。
【０００４】
【発明が解決しようとする課題】
このリモコン受信システム４では、図６に示すように、リモコン受光ユニットＡ、Ｂから出力信号がマイコン５に入力され、マイコン５ではこれら出力信号が合成される。そのため、リモコン受光ユニットＡ、Ｂの両方からマイコン５に出力信号が入力された場合、出力信号同士が互いに干渉してマイコン５が正常に動作しないことがある。例えば、リモコン受光ユニットＡから出力信号がマイコン５に入力され（図６（ａ）参照）、リモコン受光ユニットＢからノイズを含む出力信号がマイコン５に入力された（図６（ｂ）参照）場合、リモコン受光ユニットＢから入力されたノイズを含む出力信号が原因となってリモコン受光ユニットＡから入力された出力信号がマイコン５で読み取れない（図６（ｃ）参照）。
【０００５】
また、上記したように複数個のリモコン受光ユニットを備えたリモコン受信システムは、このような外乱光ノイズや輻射ノイズなどの外的ノイズ対策として有効であり、また、あらゆる方向からリモコン信号を受信するよう広指向性を確保するものとなっている。しかし、これらのノイズに対する特性の良いリモコン受信システムでは、これらノイズだけでなく正常な受信波も同様に受信しにくくなるため、概してリモコン送信器からの受信距離が短くなる。
【０００６】
そこで、上記課題を解決するために本発明は、複数のリモコン受光ユニットを備えていても、誤動作なく各リモコン受光ユニットからの出力信号を読み取るリモコン受信システムを提供することを目的とする。
【０００７】
【課題を解決するための手段】
上記目的を達成するため本発明に係るリモコン受信システムは、複数個のリモコン受光ユニットと、これらのリモコン受光ユニットからの出力信号が入力され、この出力信号を処理する本体部を備えたリモコン受信システムであって、前記本体部に入力する出力信号を複数個の前記リモコン受光ユニットのなかから選択し、かつ、選択したリモコン受光ユニットの出力信号を予め設定した時間毎に切替える制御部を備えており、この制御部は、リモコン受光ユニットから本体部に入力する出力信号がない場合には、設定した時間毎に複数個のなかから選択したリモコン受光ユニットの出力信号を切替え、リモコン受光ユニットのいずれかから本体部に入力する出力信号がある場合には、本体部からのフィードバックにより、この出力信号を本体部に入力する出力信号として固定するようになされたことを特徴とする。
【０００８】
この発明によれば、本体部に入力する出力信号を複数個のリモコン受光ユニットのなかから選択し、かつ、選択したリモコン受光ユニットの出力信号を予め設定した時間毎に切替える制御部が備えられているので、複数個のリモコン受光ユニットからの本体部への入力ポートを１つにして、制御部で検知しない出力信号やノイズを含む出力信号の本体部への入力を制御部で遮断し、本体部に入力したい出力信号だけを本体部に入力することが可能となる。その結果、リモコン受信システムの誤動作を無くすことが可能となる。
【０００９】
上記した構成において、上記出力信号は、リモコン受光ユニットの情報を付与したリーダ部と、このリーダ部に後続するデータ部とからなり、上記制御部は、このリーダ部のパルスと、データ部のリーダ部のパルスに後続する数個のパルスとに基づいて、出力信号を検知してもよい。また、上記リーダ部のパルス長が８周期以上であり、上記制御部は、このリーダ部から出力信号を検知してもよい。
【００１０】
これらの場合、出力信号をリーダ部から検知するので、容易に出力信号を検知することが可能となる。
【００１１】
上記した構成において、上記出力信号は、リモコン受光ユニットの情報を付与したリーダ部と、このリーダ部に後続するデータ部とからなり、このリーダ部のパルス長が８周期以上であり、上記設定した時間がリーダ部の２周期分のパルス長にあたり、前記制御部は、このリーダ部から出力信号を検知してもよい。
【００１２】
この場合、リーダ部が途中から検知されてもリーダ部の１周期分のパルス長から出力信号を検知することが可能となる。
【００１３】
上記した構成において、複数個の上記リモコン受光ユニットの受光面が異なる方向に向けて備えられてもよい。
【００１４】
この場合、リモコン受光ユニットの受光面が異なる方向に向けて備えられているので、広い指向角を確保することが可能となる。また、全く異なる場所に複数個のリモコン受光ユニットを備えることで、あらゆる所でリモコン送信器からの光信号を受光することも可能となり、その結果、リモコン送信器からの受信距離を長くすることが可能となる。
【００１５】
上記した構成において、複数個の上記リモコン受光ユニットは、その受光面に入る外乱光のノイズ、または、輻射ノイズに対する特性がそれぞれ異なってもよい。
【００１６】
この場合、最低でもいずれか１つのリモコン受光ユニットが、外乱光のノイズ、または、輻射ノイズに対して強く正常に動作してリモコン通信、例えば赤外線リモコン通信が可能となり、リモコン送信器からの受信距離を長くすることも可能となる。
【００１７】
【発明の実施の形態】
以下、本発明の実施の形態について図面を参照して説明する。
【００１８】
本実施の形態にかかるリモコン受信システム１は、図１に示すように、２個のリモコン受光ユニットＡ，Ｂと、これらのリモコン受光ユニットＡ、Ｂからの出力信号が入力され、この出力信号を処理するマイコン２と、このマイコン２に入力する出力信号をリモコン受光ユニットＡ、Ｂのなかからから選択し、かつ、選択したリモコン受光ユニットＡ、Ｂの出力信号を予め設定した時間毎に切替える制御部３とが備えられている。また、マイコン２から制御部３にフィードバック回路が構成されている。
【００１９】
リモコン受光ユニットＡ、Ｂは、全く異なる位置に異なる方向に向けて備えられている（図示省略）。これらリモコン受光ユニットＡ、Ｂの受光面（図示省略）に入る外乱光のノイズや輻射ノイズに対する特性は、リモコン受光ユニットＡとリモコン受光ユニットＢとでそれぞれ異なっている。なお、ここでいう出力信号は、図２に示すように、パルス長が８周期以上でありリモコン受光ユニットの情報を付与したリーダ部Ｒと、このリーダ部Ｒに後続するデータ部Ｄとからなる１ワードで構成されている。
【００２０】
制御部３は、例えば、リモコン受光ユニットＡからマイコン２に入力する出力信号がない場合、設定した時間毎にリモコン受光ユニットＡからリモコン受光ユニットＢに切替える。また、リモコン受光ユニットＡ、Ｂからマイコン２に入力する出力信号がある場合、この出力信号をそのリーダ部Ｒのパルスと、データ部Ｄのリーダ部Ｒのパルスに後続する数個のパルスとに基づいて検知し、この検知した出力信号をマイコン２からのフィードバックにより、マイコン２に入力する出力信号に固定する。ここでいう設定した時間とは、リーダ部Ｒの２周期分のパルス長にあたる。
【００２１】
このリモコン受信システム１の動作を以下に示す。
【００２２】
まず、リモコン受光ユニットＡ、Ｂからともにマイコン２に出力信号が入力されている場合のリモコン受信システム１の動作を示す。
【００２３】
リモコン受光ユニットＡ、Ｂから出力信号がマイコン２に入力され、これら出力信号は制御部３で検知される。この時の制御部３では、図３（ａ）に示すように、リモコン受光ユニットＡ、Ｂからの出力信号Ａ１、Ａ２、Ｂ１およびＢ２が交互に検知される。なお、図３（ａ）は、リモコン受光ユニットＡ、Ｂから入力される出力信号のリーダ部のみを抜粋した波形図である。
【００２４】
この状態においてマイコン２に、図３（ｂ）に示すように、最初に検知されたリモコン受光ユニットＡからの出力信号Ａ１が入力されない場合、制御部３ではリモコン受光ユニットＡからリモコン受光ユニットＢへ選択するリモコン受光ユニットが切替えられる。この切替で選択したリモコン受光ユニットＢからの出力信号Ｂ１が、図３（ｂ）に示すように、そのリーダ部Ｒの１周期分のパルスだけマイコン２に入力される。出力信号Ｂ１がマイコン２に入力されると、マイコン２からこの出力信号Ｂ１だけをマイコン２に入力するよう制御部３にフィードバックをかけ、制御部３により出力信号Ｂ１が固定される。
【００２５】
ここで、図３（ｃ）に示すように、２回目に検知されたリモコン受光ユニットＢからの出力信号Ｂ１が、出力パルス割れにより入力されない場合、制御部３ではリモコン受光ユニットＢからリモコン受光ユニットＡへ選択するリモコン受光ユニットが切替えられる。この切替で選択したリモコン受光ユニットＡからの出力信号Ａ２が、またマイコン２に入力されない場合、制御部３ではリモコン受光ユニットＡからリモコン受光ユニットＢへ選択するリモコン受光ユニットが切替えられる。この切替で選択したリモコン受光ユニットＢからの出力信号Ｂ２が、そのリーダ部Ｒの１周期分のパルスだけマイコン２に入力される。出力信号Ｂ２がマイコン２に入力されると、マイコン２からこの出力信号Ｂ２だけをマイコン２に入力するよう制御部３にフィードバックをかけ、制御部３により出力信号Ｂ２が固定される。
【００２６】
次に、正常に出力信号を入力するリモコン受光ユニットＡと、パルス幅が極端に短いリーダ部からなる出力信号を入力するリモコン受光ユニットＢを用いた場合のリモコン受信システム１の動作を示す。
【００２７】
リモコン受光ユニットＡ、Ｂから出力信号がマイコン２に入力され（図４（ａ）、（ｂ）参照）、これら出力信号は制御部３で検知される。この時、リモコン受光ユニットＢから入力されたパルス幅が極端に短いリーダ部からなる出力信号は、、制御部３において誤動作であると判断され、図４（ｃ）に示すように、リモコン受光ユニットＡからの出力信号がマイコン２に入力される。この時、マイコン２から、この出力信号だけをマイコン２に入力するよう制御部３にフィードバックをかけ、制御部３により出力信号が固定される。
【００２８】
上述したように、このリモコン受信システム１によれば、マイコン２に入力する出力信号を２個のリモコン受光ユニットＡ、Ｂのなかから選択し、かつ、選択したリモコン受光ユニットＡ、Ｂの出力信号を予め設定した時間毎に切替える制御部３が備えられているので、２個のリモコン受光ユニットＡ、Ｂからのマイコン２への入力ポートを１つにして、制御部３で検知しない出力信号やノイズを含む出力信号のマイコン２への入力を制御部３で遮断し、マイコン２に入力したい出力信号だけをマイコン２に入力することができる。その結果、リモコン受信システム１の誤動作を無くすことができる。
【００２９】
すなわち、リモコン受光ユニットＢから、出力信号Ｂ１の出力パルス割れが原因となって出力信号Ｂ１がマイコン２に入力されない状態で、リモコン受光ユニットＡの出力信号Ａ２がマイコンに入力されない場合であっても（図３（ｃ）参照）、制御部３により再度リモコン受光ユニットＢに切替え、出力信号Ｂ２をマイコン２に入力することができる。
【００３０】
また、制御部３では、パルス幅が極端に短いリーダ部からなる出力信号は、ノイズを含む入力と判断し（図４参照）、この出力信号を遮断することができる。
【００３１】
また、出力信号を、リモコン受光ユニットの情報を付与したリーダ部Ｒから検知するので、容易に出力信号を検知することができる。
【００３２】
また、設定した時間がリーダ部Ｒの２周期分のパルス長にあたるので、リーダ部Ｒが途中から検知されてもリーダ部Ｒの１周期分のパルス長から出力信号を検知することができる。
【００３３】
また、リモコン受光ユニットＡ、Ｂは、その受光面が異なる方向に向けて備えられているので、広い指向角を確保することができる。また、全く異なる場所に複数個のリモコン受光ユニットＡ、Ｂを備えることであらゆる所でリモコン送信器からの光信号を受光することもできる。その結果、リモコン送信器からの受信距離を長くすることもできる。
【００３４】
また、２個のリモコン受光ユニットＡ、Ｂの受光面に入る外乱光のノイズや輻射ノイズに対する特性がそれぞれ異なっているので、最低でもどちらかのリモコン受光ユニットＡ、Ｂが、外乱光のノイズ、または、輻射ノイズに対して強く正常に動作してリモコン通信、例えば赤外線リモコン通信ができ、受信距離を長くすることもできる。
【００３５】
なお、本実施の形態ではリモコン受光ユニットを２個用いたが、複数個あればその個数は限定しなくてもよい。
【００３６】
【発明の効果】
以上、説明したように、本発明にかかるリモコン受信システムによれば、複数のリモコン受光ユニットを備えていても、誤動作なく各リモコン受光ユニットからの出力信号を読み取ることができる。
【００３７】
すなわち、本体部に入力する出力信号を複数個のリモコン受光ユニットのなかから選択し、かつ、選択するリモコン受光ユニットを予め設定した時間毎に切替える制御部が備えられているので、複数個のリモコン受光ユニットからの本体部への入力ポートを１つにして、制御部で検知しない出力信号やノイズを含む出力信号の本体部への入力を制御部で遮断し、本体部に入力したい出力信号だけを本体部に入力することができる。その結果、リモコン受信システムの誤動作を無くすことができる。
【図面の簡単な説明】
【図１】本発明にかかる、複数個のリモコン受光ユニットを備えたリモコン受信システムの概略構成図である。
【図２】本発明にかかるリモコン受信システムに備えたリモコン受光ユニットから入力される出力信号の波形図である。
【図３】（ａ）は、本発明にかかるリモコン受信システムに備えたリモコン受光ユニットＡ、Ｂから入力される出力信号のリーダ部のみを抜粋した波形図であり、（ｂ）は、本体部にリモコン受光ユニットＡの出力信号が入力されない時の本体部に入力される合成波の波形図であり、（ｃ）は、本体部にリモコン受光ユニットＡの出力信号が入力されておらず、かつ、リモコン受光ユニットＢの１回目の出力信号が誤動作により入力されなかった時の本体部に入力される合成波の波形図である。
【図４】（ａ）は、本発明にかかるリモコン受信システムに備えたリモコン受光ユニットＡから入力される出力信号の波形図であり、（ｂ）は、本発明にかかるリモコン受信システムに備えたリモコン受光ユニットＢから入力される出力信号の波形図であり、（ｃ）はマイコンに入力される合成波の波形図である。
【図５】従来の、複数個のリモコン受光ユニットを備えたリモコン受信システムの概略構成図である。
【図６】（ａ）は、従来のリモコン受信システムに備えたリモコン受光ユニットＡから入力される出力信号の波形図であり、（ｂ）は、従来のリモコン受信システムに備えたリモコン受光ユニットＢから入力される出力信号の波形図であり、（ｃ）はマイコンに入力される合成波の波形図である。
【符号の説明】
リモコン受信システム　１
マイコン（本体部）　２
制御部　３
リモコン受光ユニット　Ａ、Ｂ
出力信号　Ａ１、Ａ２、Ｂ１、Ｂ２
リーダ部　Ｒ
データ部　Ｄ
【図１】
2004048463.tif 000003
【図２】
2004048463.tif 000004
【図３】
2004048463.tif 000005
【図４】
2004048463.tif 000006
【図５】
2004048463.tif 000007
【図６】
2004048463.tif 000008